(57)【要約】      （修正有）【課題】レシーバー上に画像を供するための、インクセット組成物、装置及び方法を提供する。【解決手段】本方法は、前記画像の印刷領域における非画像領域に対して光沢適合性流動体を適用する第一セグメントと、前記画像の印刷領域における画像領域に、少なくとも一色のインクセットを適用する第二セグメントとを有するプリントヘッドを制御することを含み、このインクセットは、所定の最小光沢値（ＧＶｍｉｎ）と最大光沢値（ＧＶｍａｘ）とを有し、前記光沢適合性流動体は、所定の光沢値（ＧＶＧＭＦ）を有し、前記所定の光沢値ＧＶＧＭＦは、以下の条件：０．１ＧＶｍｉｎ≦ＧＶＧＭＦ≦１．５ＧＶｍａｘを満たし、このＧＶｍｉｎ及びこのＧＶｍａｘは、以下の方程式：ＧＶｍｉｎ＝ＭＩＮ（ＧＶ１、ＧＶ２、・・・、ＧＶｉ、・・・、ＧＶｎ）及びＧＶｍａｘ＝ＭＡＸ（ＧＶ１、ＧＶ２、・・・、ＧＶｉ、・・・、ＧＶｎ）の所定光沢値である。【選択図】図１
2004175107.tif 000002
【特許請求の範囲】
【請求項１】
レシーバー上に画像を供する方法であって：
前記画像の印刷領域における非画像領域に対して光沢適合性流動体を適用する第一セグメントと、前記画像の印刷領域における画像領域に、少なくとも一色のインクセットを適用する第二セグメントとを有するプリントヘッドを制御する；
ことを有し、かつ
前記インクセットは、所定の最小光沢値（ＧＶｍｉｎ）と最大光沢値（ＧＶｍａｘ）とを有し；
前記光沢適合性流動体は、所定の光沢値（ＧＶＧＭＦ）を有し；
前記所定の光沢値ＧＶＧＭＦは、以下の条件：
０．１ＧＶｍｉｎ≦ＧＶＧＭＦ≦１．５ＧＶｍａｘ
を満たし；
該ＧＶｍｉｎ及び該ＧＶｍａｘは、以下の方程式：
ＧＶｍｉｎ＝ＭＩＮ（ＧＶ１、ＧＶ２、・・・、ＧＶｉ、・・・、ＧＶｎ）
ＧＶｍａｘ＝ＭＡＸ（ＧＶ１、ＧＶ２、・・・、ＧＶｉ、・・・、ＧＶｎ）
で算出される所定の光沢値であり；
前記ｉは、評価に使用される特定のカラーパッチを同定する可変値であり；かつ
前記ｎは、評価に使用されるカラーパッチの総数である；
ことを特徴とする、方法。
【請求項２】
レシーバー上に画像を供する装置であって：
少なくとも一色を有するインクセットのソース；
前記インクセットは所定の最小光沢値（ＧＶｍｉｎ）と最大光沢値（ＧＶｍａｘ）とを有し；
所定の光沢値（ＧＶＧＭＦ）を有する光沢適合性流動体ソース；
前記画像の印刷領域及び前記画像の非印刷領域を同定する前記画像を示すデータと、前記画像の前記印刷領域における画像領域及び非画像領域を同定する前記画像の前記印刷領域を示すデータとを処理するように適合されたコントローラ；及び
前記コントローラと電気的に通信して結合されたプリントヘッド；
を有し、かつ
前記プリントヘッドは、前記光沢流適合性流動体ソースに流体通路にて結合された第一セグメントを有し；
前記第一セグメントは、前記コントローラから受信したデータに基づいて、前記画像の前記印刷領域の前記非画像領域に、前記光沢適合性流動体を適用するように適合され；
前記プリントヘッドは、前記インクセットソースに流体通路にて結合された第二セグメントを有し；
前記第二セグメントは、前記コントローラから受信したデータに基づいて、前記画像の前記印刷領域の前記画像領域に、少なくとも一色のインクセットを適用するように適合され；
前記所定の光沢値ＧＶＧＭＦは、以下の条件：
０．１ＧＶｍｉｎ＜ＧＶＧＭＦ＜１．５ＧＶｍａｘ
を満たし；該ＧＶｍｉｎ及び該ＧＶｍａｘは、以下の方程式：
ＧＶｍｉｎ＝ＭＩＮ（ＧＶ１、ＧＶ２、・・・、ＧＶｉ、・・・、ＧＶｎ）
ＧＶｍａｘ＝ＭＡＸ（ＧＶ１、ＧＶ２、・・・、ＧＶｉ、・・・、ＧＶｎ）
にしたがって算出された所定の光沢値であり；
前記ｉは、評価に使用される特定のカラーパッチを同定する可変値であり；かつ
前記ｎは、評価に使用されるカラーパッチの総数である；
であることを特徴とする、装置。
【請求項３】
少なくとも一色のインク；及び
光沢適合性流動体；
を有し、かつ
前記光沢適合性流動体の光沢値は、以下の条件：
０．１ＧＶｍｉｎ＜ＧＶＧＭＦ＜１．５ＧＶｍａｘ
を満たし；
該ＧＶｍｉｎ及び該ＧＶｍａｘは以下の方程式：
ＧＶｍｉｎ＝ＭＩＮ（ＧＶ１、ＧＶ２、・・・、ＧＶｉ、・・・、ＧＶｎ）
ＧＶｍａｘ＝ＭＡＸ（ＧＶ１、ＧＶ２、・・・、ＧＶｉ、・・・、ＧＶｎ）
にしたがって算出される所定の光沢値であり；
前記前記ｉは、評価に使用される特定のカラーパッチを同定する可変値であり；かつ
前記ｎは、評価に使用されるカラーパッチの総数である；
ことを特徴とするインクジェット型インクセット組成物。
【発明の詳細な説明】
【技術分野】
【０００１】
本発明は、一般に、デジタル的に制御された印刷用インクセット組成物、装置、及び方法に係り、特に、これらインクセット組成物、装置及びその方法によって作り出される画像の画像領域と非画像領域との光沢差を緩和又は最小限にすることに関する。
【背景技術】
【０００２】
インクジェット印刷は、デジタル信号に応じて、画像記録要素がピクセル毎にインク滴の堆積による画像を生成するための、非衝撃性の方法である。所望の画像を得るべく、画像記録要素上にインク滴の堆積を制御するために利用される種々の方法が存在する。一つの工程において、画像化されない液滴が捕獲されインクだめに戻される一方、コンティニュアスインクジェットとして公知の、液滴のコンティニュアスストリームは、画像記録要素の表面上に、画像ワイズ様式にて、チャージされ、屈折される。別の工程において、ドロップオンデマンドインクジェットとして公知の、個々のインク滴は、所望の画像を形成すべく、画像記録要素上に要求に応じて吐出される。ドロップオンデマンド型印刷におけるインク滴の吐出を制御する一般的な方法は、圧電変換器及び熱バブル形成を含む。
【０００３】
種々のインクジェット型プリンターに使用されているインクは、染料を基礎としたものか、色素を基礎としたものかのいずれかに分類することができる。染料は、着色剤であって、キャリア媒体に溶解される。色素は、キャリア媒体に非溶解性の着色剤であるが、小型粒子として分散又は懸濁され、しばしば、綿状沈殿に対して安定化されかつ分散剤の利用により安定化される。キャリア媒体に一般に使用されるものとして、水、水と有機溶媒との共媒体混液、及び高沸点の有機溶媒などが含まれ、例えば、炭化水素、エステル、ケトンなどがある。
【０００４】
染料を基礎としたインクジェット用インクの技術において、多くの進歩が見られるが、このようなインクは、いまだ、光や、オゾン（Ｏ３）、窒素酸化物（Ｎｏｘ）、及びイオウ酸化物などの空気中に一般に存在するガスに対して、画像の安定性が悪いなどの主要な欠陥にさらされており、これらは、特に、多孔性のインク受け入れ層を有するレシーバー上において顕著である。これらの制限を解決する一つの方法は、色素を基礎としたインクを使用することである。適切に設計されると、色素を基礎としたインクは通常、染料を基礎としたインクよりも有意により高い画像安定性を示すことが可能であり、より重要なことに、ハロゲン化銀を用いた写真印刷と比較して、記録文書用品質に接近する。
【特許文献１】欧州特許第１０５７６４６号明細書
【特許文献２】欧州特許第１０４８４６６号明細書
【発明の開示】
【発明が解決しようとする課題】
【０００５】
色素を基礎としたインクにおける主要な画像品質に関する欠点は、「光沢差」であって、これは、非画像領域の光沢が、画像領域の光沢と非常に異なるというものである。この問題に関する一つの解決法は、特許文献１及び２に述べられた防護流動体を用いて、レシーバー全体を覆う方法である。しかしながら、この手法は、すでにインクが堆積されたレシーバーの領域に対して、追加の流動体を層状化することを含んでいる。レシーバーの領域が流動体吸収許容に達すると、同じ領域に追加的な流動体を加えることは、内部色調のにじみや、斑点など、画像のアーティファクトを導く恐れがある。加えて、インクに関連し、かつ大きな面積にてしばしば必要な防護流動体の乾燥時間ゆえ、印刷物全体の製造性は、有意に限定されてしまう。
【課題を解決するための手段】
【０００６】
本発明の目的は、インクジェット印刷システムにおいて、光沢適合性流動体の画像ワイズ堆積を使用することであり、画像の非画像領域にのみこの流動体を適用することである。さらに、この流動体組成物は、画像領域と非画像領域との光沢差を最小限にすることを達成すべく、光沢レベルに影響する物性に基づいて最適化することが可能である。
【発明の効果】
【０００７】
堆積された光沢適合性流動体を有する要素のそれぞれに関するＲＧＤは、光沢適合性流動体を有しないそれぞれの要素と比較して軽減される。
【発明を実施するための最良の形態】
【０００８】
本発明の特徴に従うと、レシーバー上に画像を供する方法は、画像の印刷領域における非画像領域に対して、光沢適合性流動体を適用する第一セグメントと画像の印刷領域における画像領域に対して少なくとも一種類の色を有するインクセットを適用する第二セグメントとを有するプリントヘッドを制御することを含み、前記のインクセットは、所定の最小光沢値（ＧＶｍｉｎ）と最大光沢値（ＧＶｍａｘ）とを有し、前記の光沢適合性流動体は、所定の光沢値（ＧＶＧＭＦ）を有し、この所定の光沢値ＧＶＧＭＦは、以下の状態を満たしている：０．１ＧＶｍｉｎ≦ＧＶＧＭＦ≦１．５ＧＶｍａｘ、ここで、ＧＶｍｉｎ及びＧＶｍａｘは、以下の式：
ＧＶｍｉｎ＝ＭＩＮ（ＧＶ１、ＧＶ２、・・・、ＧＶｉ、・・・、ＧＶｎ）
ＧＶｍａｘ＝ＭＡＸ（ＧＶ１、ＧＶ２、・・・、ＧＶｉ、・・・、ＧＶｎ）
にて計算された所定の光沢値を有しており、ｉは、評価に使用される特定のカラーパッチを同定する可変値であり、ｎは、評価に用いられるカラーパッチの総数である。
【０００９】
本方法はまた、画像の印刷領域と非印刷領域とを同定すべくこの画像を示すデータを加工し；かつ画像の印刷領域において、画像領域と非画像領域とを同定すべく画像の印刷領域を示すデータを加工する；ことをも含む。
【００１０】
本発明の別の特徴に従うと、レシーバー上に画像を供するための装置は、少なくとも一種類の色を有するインクセットソースと、所定の最小光沢値（ＧＶｍｉｎ）と最大光沢値（ＧＶｍａｘ）とを持つインクセットと、所定の光沢値（ＧＶＧＭＦ）の光沢適合性流動体源ソースとを有している。コントローラは、画像の印刷領域における印刷領域と非印刷領域を同定すべく、画像を示すデータを加工するために適合され、かつ、画像の印刷領域における画像領域及び非画像領域を同定すべく、画像の印刷領域を示すデータを加工するために適合されている。プリントヘッドは、光沢適合性流動体ソースへと至る流動体通路に結合した第一セグメントを有しており、この第一セグメントは、コントローラから受信したデータに基づいて画像の印刷領域における非印刷領域へと、この光沢適合性流動体を適用すべく適合されている。このプリントヘッドは、インクセットソースへと至る流動体通路に結合された第二セグメントを有し、この第二セグメントは、コントローラから受信したデータに基づいて、画像の印刷領域における画像領域へと、少なくとも一種類の色を有するこのインクセットを適用すべく適合されている。また、ここで、所定の光沢値ＧＶＧＭＦは、以下の状態を満たしている：０．１ＧＶｍｉｎ＜ＧＶＧＭＦ＜１．５ＧＶｍａｘ、ここで、ＧＶｍｉｎ及びＧＶｍａｘは、以下の式にて計算された所定の光沢値：
ＧＶｍｉｎ＝ＭＩＮ（ＧＶ１、ＧＶ２、・・・、ＧＶｉ、・・・、ＧＶｎ）
ＧＶｍａｘ＝ＭＡＸ（ＧＶ１、ＧＶ２、・・・、ＧＶｉ、・・・、ＧＶｎ）
を有しており、ｉは、評価に使用される特定のカラーパッチを同定する可変値であり、ｎは、評価に用いられるカラーパッチの総数である。
【００１１】
本発明のその他の特徴に従うと、インクジェット用インクセット組成物は、少なくとも一つの色インクと光沢適合性流動体とを有し、この光沢適合性流動体における光沢値は以下の条件を満たす：
０．１ＧＶｍｉｎ＜ＧＶＧＭＦ＜１．５ＧＶｍａｘ、
ここで、ＧＶｍｉｎ及びＧＶｍａｘは、以下の式にて計算された所定の光沢値を有しており：
ＧＶｍｉｎ＝ＭＩＮ（ＧＶ１、ＧＶ２、・・・、ＧＶｉ、・・・、ＧＶｎ）
ＧＶｍａｘ＝ＭＡＸ（ＧＶ１、ＧＶ２、・・・、ＧＶｉ、・・・、ＧＶｎ）
であり、ｉは、この計算に使用される特定のカラーパッチを同定する可変値であり、ｎは、この計算に用いられるカラーパッチの総数である。
【００１２】
（発明の詳細な記述）
この記載は、本発明に従った装置及び方法の部分を形成する要素及び直接導入された要素についてのものである。特に示さずかつ述べていない要素は、当業者に公知であって種々改変可能なものであることを理解すべきである。
【００１３】
図１を参照すると、画像プロセッサー３０へと供給すべく内部に画像データを有するデジタル画像ソース２５を有するプリンターシステム２０を示しており、しばしばコントローラなどと称する。画像プロセッサー３０は、画像データをインク滴パターンへと変換し、このパターンは、プリントヘッドが機器３０を駆動する一方、図２に示したように、多重化色調（例えば、６つの色）を有するプリントヘッド３５へと転送される。プリンターシステム３０は、当業者公知の種々のプリンターシステムであってもよく、例えば、ドロップオンデマンド型のプリンターシステムであっても、コンティニュアス型プリンターシステムであってもよい。追加的に、プリンターシステム２０は、ページワイド型プリンターシステム又は走査ヘッド型プリンターシステムであってもよい。代替的に、プリントヘッド３５は、一種類以上の色を有してもよく、あるいは単色プリントヘッドであってもよい。
【００１４】
図２を参照すると、プリントヘッド３５は、複数個のセグメント４０ａから４０ｇを有してもよい（例えば、７つのセグメント）。セグメント４０ｂから４０ｇのうちのそれぞれ一つずつは、そこから吐出されるべく一つの色調を有するインク（例えば、シアン、ライトシアン、マゼンダ、ライトマゼンダ、黄及び黒）にて、所定のインクソース８５を割り当てられている（図４から８にそれぞれ述べる）。これらインクのそれぞれは、下記に述べるように関連づけられた光沢レベルを有している。セグメント４０aは、そこから吐出されるべく、光沢適合性流動体を割り当てられており、これは、上述の問題を軽減または消失させるためである。また、セグメント４０aから４０ｇのそれぞれは、レシーバー５５へと向かって、そこから複数個の液滴５０の吐出を可能にすべく、複数個の液滴形成機構及び吐出ノズル４５を有してもよい。７つのセグメントを有するプリントヘッド３５は上述のごとくであるが、このプリントヘッド３５は、特定の印刷応用例に依存して、追加的なセグメントまたはより少ないセグメントを有していてもよい。
【００１５】
図３を参照すると、印刷中（又は印刷前）、画像プロセッサー３０は、当業者公知の種々の画像加工アルゴリズムを用いて、画像データをインク滴パターンへと加工する（あるいは画像データを前加工する）。例えば、このアルゴリズムには、トーンスケールキャリブレーション、カラートランスフォーメーション、ハーフトーニング、インクレンダリング、及び公知例などがある。同時に、画像プロセッサー３０は、デジタル画像ソース２５から受信した画像データに基づいて、画像の印刷領域６０及び（もし存在すれば）非印刷領域６５を同定する。画像プロセッサー３０はまた、この画像のプリント領域における画像領域７０及び非画像領域７５をも同定する。
【００１６】
ここに定義したように、画像の「印刷領域」とは、上部に堆積されたインクが存在するこのレシーバーにおける領域を意味している（これにより、例えば、テキスト又は画像を形成することになる）。追加的に、画像の「非印刷領域」とは、上部に堆積されたインクが存在しないこのレシーバーにおける領域を意味している（これにより、例えば、レシーバー上の画像の印刷領域周辺にインクが存在しない境界線を形成することになる）。この意味において、インクを有する境界線は、画像の「印刷領域」の定義に含まれる。
【００１７】
ここに定義したように、画像の印刷領域における「画像領域」とは、上部に堆積されたインク滴が一つ以上存在する、このレシーバーの印刷領域内部の、レシーバーにおける領域（典型的には、一つ以上のピクセル）を意味する。追加的に、画像の印刷領域における「非画像領域」とは、上部に堆積された一つ以上のインクが存在しない、レシーバーの印刷領域内部における、レシーバーの領域（典型的には、一つ以上のピクセル）を意味する。この、画像の印刷領域における「非画像領域」は、本発明にしたがって、光沢適合性流動体滴を受け入れる。
【００１８】
その後、画像プロセッサー３０は、デジタル画像データを示す信号を、デジタル画像データに従って、プリントヘッド３５用に電気信号を調製するプリントヘッド駆動機器８０へと送信する。印刷パスのそれぞれの間、トランスポートコントローラ（示していない）は、レシーバートランスポートモーター機構（示していない）とプリントヘッドトランスレーティングモーター（示していない）とを制御すべく、公知の様式にて、コントロール電子機器（示していない）を制御する。
【００１９】
プリントヘッド駆動機器８０は、レシーバー５５の印刷領域の画像領域において、ピクセル７０を形成すべく、レシーバー５５へと一つ以上のインク滴５０を送達するために、インクジェット型プリントヘッドセグメント４０ｂから４０ｇを制御している。追加的に、プリントヘッド駆動機器８０は、レシーバー５５の印刷領域の非画像領域において、ピクセル７５を形成すべく、レシーバー５５へと一つ以上の光沢適合性流動体滴５０を送達すべく、インクジェット型プリントヘッドセグメント４０aを制御する。典型的に、画像は、インクピクセル７０及び光沢適合性流動体ピクセル７５によって形成される。追加的に、画像のそれぞれは、プリントヘッドの単一印刷パスによって形成されても、あるいは、プリントヘッド３５による複数個の印刷パスによって形成されてもよい。
【００２０】
図４から８を参照すると、本発明を用いることが可能な追加プリンター及びカートリッジに関する具体例が、同様の参照記号を使って、同様の要素により述べられている。
【００２１】
プリンターシステム２０は、種々の型のインクソース８５を有してもよい。例えば、インクソース８５は、カートリッジ９５を有してもよい。このカートリッジ９５は、フレキシブルメンブレン１００を有してもよい（図６参照）。カートリッジ９５は、チューブ１０２（例えば、フレキシブルチューブ、リジッドチューブなど）を介してプリントヘッド３５から相対的に分離した位置にあるインクリザーバー１０５へと至る流動体通路に結合されていてもよい（図５参照）。代替的に、インクリザーバー１０５のみが、チューブ１０２を介してプリントヘッド３５へと結合されていてもよい（図４参照）。カートリッジ９５はまた、プリントヘッド３５上で分離可能に配置されていてもよい。
【００２２】
プリンターシステム２０はまた、種々のタイプの光沢適合性流動体ソース９０を有していてもよい。例えば、この光沢適合性流動体ソース９０は、カートリッジ１１５を有してもよい。カートリッジ１１５は、フレキシブルメンブレンを構成してもよい（図６参照）。カートリッジ１１５は、プリントヘッド３５上に配置されていてもよい（図５参照）。カートリッジは、チューブ１０２を介して、プリントヘッド３５に相対して分離された位置にある光沢適合性流動体リザーバー１２５へと至る流動体通路に結合されていてもよい（図５参照）。代替的に、この光沢適合性流動体リザーバー１２５のみが、チューブ１０２を介して、プリントヘッド３５へと結合されていてもよい（図４参照）。カートリッジ１１５はまた、プリントヘッド３５上に分離され配置されていてもよい。
【００２３】
これ以降より詳細に述べるのは、光沢適合性流動体を有しない画像と、光沢適合性流動体を有する画像とを比較した例示とともに、上述した、光沢適合性流動体、インク、及びレシーバーに関する代表例である。
【００２４】
一般的に鏡面光沢度として参照される表面光沢度は、鏡面に類似した表面への近似度合いとして定義される。これは、投射角度と同等又は近接した反射角度にて反射されるエネルギー量として測定される。鏡面光沢度は、通常表面からのいくつかの角度、例えば２０°、３０°、４５°、６０°、７５°及び８０°などにおいて、グロスユニット（ｇｌｏｓｓ  ｕｎｉｔ）（ｇｕ）にて測定されてもよい。種々の角度にて、サンプルの光沢度を測定するには、グロスメーターを使用する。この機器の例としては、ＢＹＫガードナーマイクロＴＲＩグロスメーターがある。
【００２５】
インク及びレシーバーの両者はインクジェット型印刷画像の光沢度において、重要な役割を演じる。レシーバーの光沢度は、コートされた紙支持体の表面コーティング及び表面荒さの粒子サイズを含む、レシーバーのデザインにより影響をうける。一方、インクのファクターもまた、印刷画像の光沢において、キーとなる役割を演じる；これらは、限定しないが、インクにおけるポリマーの反射指数や、印刷後のインクにおけるポリマーの膜形成特性や、レシーバー上に堆積されたインクの負荷度合いなどを含む。色素を基礎としたインクなどの粒子含有インクの場合、粒子径及びその分布は、光沢度に、有意な影響を有している。
【００２６】
画像領域と非画像領域とで光沢差が有意に存在する場合、観察された画像の質は、有意に阻止される。この光沢差を定量する一つの方法は、以下の方程式にて定義される、相対光沢差（Ｒｅｌａｔｉｖｅ  Ｇｌｏｓｓ  Ｄｉｆｆｅｒｅｎｃｅ）（ＲＧＤ）と呼ばれるパラメーターによって定義される：
【００２７】
【数１】
2004175107.tif 000003
式中、Ｉは、評価において使用される特定のカラーパッチを定義する可変値であり、Ｎは、評価において使用されるカラーパッチの総数である。
【００２８】
（光沢適合性流動体）
レシーバーへのデジタル画像に応じて、画像領域と非画像領域との光沢差を最小限にするため、光沢適合性流動体の観念が発明され、この光沢適合性流動体は、非画像領域に限定されたデジタル画像に従い、レシーバーへと送達されるべきものである。
【００２９】
カラーインクの光沢値（ＧＶ）は、以下の工程に基づき得られる：プリンターへと選択されたインクセットを装填し、その後、選択されたインクレシーバー上へとテスト画像を印刷するという工程である。この選択されたインクセットは、単一色インク（例えば黒インク）を有するインクセットであってもよく、あるいは、一つ以上の色インク（例えば、シアン、マゼンダ、黄など）を有するインクセットであってもよい。このテスト画像は、Ｄｍａｘなる密度である単一カラーパッチを有すべくデザインされる（１００％のドット被覆率）。パッチサイズは、十分大きいことが要求され、例えば、単一光沢測定用に、約３×３センチなどのサイズを用いる。ピクセルレベルにて限局された領域にてインクが被覆されないように光沢分布を最小限にするため、ドット被覆率もまた、重要である。通常、１．５の反射密度（Ｄｍａｘ）は、１００％のドット被覆率を達成する。評価にて使用される色は、選択されたインクセットにより作り出すことのできる色の組合せを含んでもよく、例えば、原色（例えば、シアン、マゼンダ、黄、黒）、あるいは選択的な二次色（例えば、赤、緑、青）、プロセスブラック（シアン、マゼンダ、及び黄の組合せ）、あるいは、４００％ブラック（シアン、マゼンダ、黄、及び黒の組合せ）であってもよい。代替的に、このカラーインクセットは、ブラック又は種々のグレイレベルを有するブラックで構成されるモノクロセットであってもよい。環境下の温度及び湿度にて、２４時間、印刷されたテスト画像を乾燥した後、グロスメーター、例えば、ＢＹＫガードナーマイクロＴＲＩグロスメーターを使って、カラーパッチｉにおける、レシーバーの通常表面からの特定の角度（例えば６０度）にてカラーパッチｉの光沢値（ＧＶｉ）を測定する。これらカラーパッチにおける最小光沢値（ＧＶｍｉｎ）及び最大光沢値（ＧＶｍａｘ）は、下記の方程式を元に形成される：
ＧＶｍｉｎ＝ＭＩＮ（ＧＶ１、ＧＶ２、・・・、ＧＶｉ、・・・、ＧＶｎ）
ＧＶｍａｘ＝ＭＡＸ（ＧＶ１、ＧＶ２、・・・、ＧＶｉ、・・・、ＧＶｎ）
であり、ｉは、評価に使用される特定のカラーパッチを同定する可変値であり、ｎは、評価に用いられるカラーパッチの総数である。
【００３０】
光沢適合性流動体の光沢値（ＧＶＧＭＦ）は、色インクの代わりに、光沢適合性流動体を使用して、上述の通り、色インクの光沢値と同様に得られる。光沢適合性流動体組成物は、この流動体を配置した後、非画像領域上に堆積された流動体を有しない場合の画像から測定される光沢度合いに基づいて計算されるＲＧＤと比較して減弱されるべく、選択される。
【００３１】
上述のテスト画像の測定値に基づくインクセットの光沢値に関し、最低で約１０％、最高で約１５０％の範囲にて流動体を堆積した後のレシーバー上の領域の測定値に関し、発生する光沢レベルを可能にする流動体を有することが望まれ、例えば、０．１ＧＶｍｉｎ≦ＧＶＧＭＦ≦１．５ＧＶｍａｘ、０．２ＧＶｍｉｎ≦ＧＶＧＭＦ≦１．５ＧＶｍａｘ、０．３ＧＶｍｉｎ≦ＧＶＧＭＦ≦１．５ＧＶｍａｘ、０．４ＧＶｍｉｎ≦ＧＶＧＭＦ≦１．５ＧＶｍａｘ、０．５ＧＶｍｉｎ≦ＧＶＧＭＦ≦１．５ＧＶｍａｘ、０．６ＧＶｍｉｎ≦ＧＶＧＭＦ≦１．４ＧＶｍａｘ、０．７ＧＶｍｉｎ≦ＧＶＧＭＦ≦１．３ＧＶｍａｘ、０．８ＧＶｍｉｎ≦ＧＶＧＭＦ≦１．２ＧＶｍａｘ、０．９ＧＶｍｉｎ≦ＧＶＧＭＦ≦１．１ＧＶｍａｘ、及び１．０ＧＶｍｉｎ≦ＧＶＧＭＦ≦１．０ＧＶｍａｘである。
【００３２】
より好ましくは、光沢適合性流動体は、上述のテスト画像の測定値に基づくインクセットの光沢値に関し、最低で約１０％、最高で約１５０％の範囲にて流動体を堆積した後のレシーバー上の領域の測定値に関し、光沢レベルの発生を可能にすることであり、つまり、ＧＶｍｉｎ≦ＧＶＧＭＦ≦ＧＶｍａｘである。追加的に、インクセットが単一色インクを有する場合においては、通常、ＧＶｍｉｎはＧＶｍａｘと同等である。
【００３３】
この光沢適合性流動体組成物が選択されるのは、この流動体を堆積した後、非画像領域上に流動体が堆積されていない画像に関し測定される光沢レベルに基づいて算出されたＲＧＤと比較して、ＲＧＤが減弱されるためである。同定されるのは、好ましく、相対光沢差（ＲＧＤ）が、以下の条件を満たす場合である：０％≦ＲＧＤ≦２０％、さらに好ましくは、０％≦ＲＧＤ≦１０％の場合である。よりさらに好ましくは、この相対光沢差が、０％≦ＲＧＤ≦５％の条件を満たす場合である。さらにより好ましくは、この相対光沢差が、０％≦ＲＧＤ≦３％の条件を満たす場合である。さらによりこのましくは、この相対光沢差が、０％≦ＲＧＤ≦１％の条件を満たす場合である。
【００３４】
典型的に、この光沢適合性流動体は、水系キャリア、膜形成ポリマー、任意で非膜形成粒子を有している。この膜形成ポリマーは、水溶性ポリマー、水分散性ポリマー、又はポリマーラテックスであってもよい。このポリマーは、印刷後に膜形成することができるべく、適当なポリマーが選択されるべきである。ポリマーの最小膜形成温度は、一般に、そのガラス転移温度よりも若干低く；かつ、この温度は、さらに、可塑剤用溶媒の存在によって低下されてもよい。保湿剤及び、高沸点型溶媒の存在により、ポリマーの膜形成温度は低下してもよい。好ましくは、このポリマーは、−２０から８０℃の範囲のガラス転移温度を有することである。さらに好ましくは、このポリマーは、０から６０℃の範囲のガラス転移温度を有すべきである。
【００３５】
この光沢適合性流動体はさらに、ポリマー粒子や、シリカ、アルミナ、二酸化チタン、クレイ、炭酸カルシウム、硫酸バリウム又は酸化亜鉛などの無機粒子を含む、非膜形成粒子を有してもよい。好ましくは、このポリマー粒子は、６０℃以上のガラス転移温度を有することであり、さらに好ましくは、８０℃以上のガラス転移温度を有すべきである。
【００３６】
膜形成ポリマー又は非膜形成ポリマーを含む水分散性ポリマーは、一般的に、水をベースにした溶媒にて安定な組み合わされた疎水性ポリマーである。このような疎水性ポリマーは一般に、縮合重合体又は付加重合体として分類される。縮合重合体は、例えば、ポリエステル、ポリアミド、ポリウレタン、ポリウレア、ポリエーテル、ポリカーボネート、ポリアシッド無水物、及び上述した型の組合せ物を有するポリマーを含む。付加重合体は、ビニル型モノマーの重合反応により形成されたポリマーであって、このモノマーには、例えば、アリル化合物、ビニルエーテル、ビニル複素環化合物、スチレン、オレフィン、ハロゲン化オレフィン、エチレン化不飽和カルボン酸とエステルとの反応生成物、不飽和ニトリル、ビニルアルコール、アクリルアミド、メタクリルアミド、ビニルケトン、多機能性モノマー、又はこれらモノマーの種々を組み合わせて形成された共重合体を含む。
【００３７】
好ましい水溶性又は水分散性ポリマーには、水系エマルジョン型のビニルモノマーのフリーラジカル重合体反応により調製されるスチレン／アクリル酸重合体を有しており、例えば、Ｍｅａｄ  Ｗｅｓｔｖａｃｏ社製のＴｒｕｄｏｔ  ＩＪ（登録商標）やＪｏｈｎｓｏｎ  Ｐｏｌｙｍｅｒｓ社製のＪａｎｃｒｙｌシリーズ、ポリエステルイオノマーとして、（Ｅａｓｔｍａｎ  Ｃｈｅｍｉｃａｌ  Ｃｏｍｐａｎｙ社製の）Ｅａｓｔｍａｎ  ＡＱポリエステルであって、例えば、Ｅａｓｔｍａｎポリエステル、ＡＱ２９，ＡＱ３８，及びＡＱ５５や、ポリウレタン類であって、Ｙａｃｏｂｕｃｃｉらの、米国特許出願第０９／５４８、５１４（２０００年４月１３日出願）や、Ｗｉｔｃｏ  Ｃｏｒｐ社製のＷｉｔｃｏｂｏｎｄ（登録商標）ポリウレタン、ＢＦ  Ｇｏｏｄｒｉｃｈ  Ｃｏｍｐａｎｙ社製のＳａｎｃｕｒｅ（登録商標）ポリウレタンなどがある。
【００３８】
膜形成ポリマーは、様々な効果量にて、この光沢適合性流動体中に存在してもよい、例えば、重量比にして、約０．１から約１０％であり、好ましくは、約０．５から約５％で含まれていてもよい。
【００３９】
非膜形成粒子は、種々の効果量にて、この光沢適合性流動体中に存在していてもよく、例えば、重量比にして、約０．１から約１０％、好ましくは、約０．５から５％程度存在していてもよい。非膜形成粒子の平均粒子径は、一般に、０．０１から１μm、さらに好ましくは、０．０３から０．５μmである。
【００４０】
典型的に、光沢適合性流動体用の水系キャリアは、水又は水の混液又は少なくとも一種類の水混和性の共溶媒である。適当な混液の選択は、特定の応用例における要件に依存し、例えば、所望の表面張力又は粘性、インクジェット流動体の乾燥時間、及びインクが印刷される紙のタイプに依存する。水混和性共溶媒の例は、（１）メタノール、エタノール、ｎ−プロピルアルコール、イソプロピルアルコール、ｎ−ブチルアルコール、ｓｅｃ−ブチルアルコール、ｔ−ブチルアルコール、ｉｓｏ−ブチルアルコール、フルフリルアルコール、及びテトラヒドロフルフリルアルコールなどのアルコール類；（２）アセトン、メチルエチルケトン、ジアセトンアルコールなどのケトン又はケトアルコール類；（３）テトラヒドロフラン、ジオキサンなどのエーテル類；（４）エチルアセテート、エチルラクテート、エチレンカーボネート、及びプロピレンカーボネートなどのエーテル類；（５）エチレングリコール、ジエチレングリコール、トリエチレングリコール、テトラエチレングリコール、プロピレングリコール、ポリエチレングリコール、グリセロール、２−メチル−２，４−ペンタンジオール、１，２，６−ヘキサントリオール、及びチオグリコールなどの多価アルコール；（６）エチレングリコールモノメチル（又は−エチル）エーテル、ジエチレングリコールモノメチル（又は−エチル）エーテル、ジエチレングリコールモノブチル（又は−エチル）エーテル、プロピレングリコールモノメチル（又は−エチル）エーテル、ポリ（エチレングリコール）ブチルエーテル、トリエチレングリコールモノメチル（又は−ブチル）エーテル、及びジエチレングリコールジメチル（又は−エチル）エーテルなどのアルキレングリコール由来の低級アルキルモノエーテル又は低級アルキルジエーテル類；（７）ピロリドン、Ｎ−メチル−２−ピロリドン、及び１，３−ジメチル−２−イミダゾリジノンなどの含窒素環状化合物；並びに（８）ジメチルスルフォキシド、２，２‘−チオジエタノール、及びテトラメチレンスルフォンなどの含硫化合物；などがある。
【００４１】
典型的に、適用される水系キャリアの量は、インクの総重量に対して、約７０から９８重量％の範囲であって、好ましくは約９０から９８重量％である。水及び多価アルコール、例えばジエチレングリコール、の混液は、水系キャリアとして有用である。好適実施例において、このインクは、約５から６０％の水混和性有機溶媒を有している。百分率は、水系キャリアの総重量に基づいている。
【００４２】
このインクジェット型光沢適合性流動体に任意で存在しているその他の添加物としては、濃厚剤、導電性促進剤、アンチコゲーション剤、乾燥剤、防水剤、結合剤、増粘剤、緩衝剤、防腐剤、巻き上げ防止剤、安定剤及び消泡剤を含む。追加的に、このインク組成物は、保湿剤、界面活性剤、浸透剤、殺生剤などを、応用例に依存して必要に応じ、有してもよい。
【００４３】
保湿剤は通常、インクがプリントヘッドの開口部にて、乾燥した、外覆することを回避することを助けるため、光沢適合性流動体に使用される。使用可能な保湿剤の例は、エチレングリコール、ジエチレングリコール（ＤＥＧ）、トリエチレングリコール、プロピレングリコール、テトラエチレングリコール、ポリエチレングリコール、グリセロール、２−メチル−２，４−ペンタンジオール、２−２，４−ペンタンジオール、２−エチル−２−ヒドリキシメチル−１，３−プロパンジオール（ＥＨＭＰ）、１，５−ペンタンジオール、１，２−ヘキサンジオール、１，２，６−ヘキサントリオール及びチオグリコールなどの多価アルコール類；エチレングリコールモノメチル又はモノエチルエーテル、ジエチレングリコールモノエチル又はモノエチルエーテル、プロピレングリコールモノエチル又はモノエチルエーテル、トリエチレングリコールモノメチル又はモノエチル又はモノブチルエーテル（ＴＥＧＭＢＥ），ジエチレングリコールジメチル又はジエチルエーテル、ポリ（エチレングリコール）モノブチルエーテル（ＰＥＧＭＢＥ）及びジエチレングリコールモノブチルエーテル（ＤＥＧＭＢＥ）などのアルキレングリコール由来のエチレングリコールモノエーテル又はジエーテル類；尿素、２−ピロリドン、Ｎ−メチル−２−ピロリジノン、及び１，３−ジメチル−２−イミダゾリジノンなどの含窒素化合物；ジメチルスルフォキシド及びテトラメチレンスルフォンなどの含硫化合物；などがある。
【００４４】
この光沢適合性流動体用の好ましい保湿剤は、ＤＥＧ，グリセロール、ＤＥＧＭＢＥ，ＴＥＧＭＢＥ，１，２−ヘキサンジオール、１，５−ペンタンジオール、尿素、２−ピロリジノン、ＥＨＭＰ，及びこれらの混液である。この保湿剤は、インクそれぞれに、重量百分率にして、約５から６０％使用してもよい。
【００４５】
界面活性剤は、適切なレベルにて表面張力を調節すべく、光沢適合性流動体に加えてもよい。この界面活性剤は、陽イオン性、陰イオン性、両性、又は非イオン性界面活性剤であってもよく、インク組成物に対して、０．０１から１％のレベルで使用してもよい。好ましい界面活性剤は、（Ａｉｒ  Ｐｒｏｄｕｃｔ  Ｃｏｒｐ社製の）Ｓｕｒｆｙｎｏｌ（登録商標）４６５や（Ｕｎｉｏｎ  Ｃａｒｂｉｄｅ社製の）Ｔｅｒｇｉｔｏｌ（登録商標）１５−Ｓ−５がある。
【００４６】
浸透剤（重量に対して０−１０％）は、受け入れ基材にインクが浸透するのを補助すべく、光沢適合性流動体に加えてもよく、特に、基材が、高度に寸法付けされた紙である場合、加えてもよい。この浸透剤の例は、メタノール、エタノール、ｎ−プロピルアルコール、イソプロピルアルコール、ｎ−ブチルアルコール、ｓｅｃ−ブチルアルコール、ｔ−ブチルアルコール、ｉｓｏ−ブチルアルコール、フルフリルアルコール、テトラヒドロフルフリルアルコールなどのアルコール類；アセトン、メチルエチルケトン、及びジアセトンアルコールなどのケトン及びケトンアルコール類；テトラヒドロフラン及びジオキサンなどのエーテル類；乳酸エチル、炭酸エチレン、炭酸プロピレンなどのエステル類；などがある。
【００４７】
殺生剤は、カビ、菌類などの微生物類が、水系インク内にて生育することを阻止すべく、光沢適合性流動体に加えてもよい。インク組成物用及び／又は光沢適合性流動体用の好ましい殺生剤は、（Ａｖｅｃｉａ  Ｃｏｒｐ社製の）Ｐｒｏｘｅｌ（登録商標）ＧＸＬを終濃度０．０００１から０．５重量％にて加える。
【００４８】
水系光沢適合性流動体のｐＨは、有機系又は無機系の酸又は塩基を加えて調節されてもよい。典型的には、流動体は、２から１０の範囲で好ましいｐＨを有することになる。典型的な無機酸は、塩酸、リン酸及び硫酸を含む。典型的な有機酸は、典型的な有機酸は、メタンスルフォン酸、酢酸、及び乳酸である。典型的な無機塩基は、アルカリ金属の水酸化物及び炭酸物である。典型的な有機塩基は、アンモニア、トリエタノールアミン（ＴＥＡ）及びテトラメチルエチレンジアミンを含む。
【００４９】
色素を、インクに着色剤として使用する応用例において、公知の色素又は色素の組合せ物は、水系キャリアを有するインク組成物にて一般的に使用される。これらは、米国特許第５、６３０、８６８号明細書に述べられているような自己分散型色素や、米国特許出願第０９／８２２、７２３号明細書に述べられているようなカプセル化型色素であってもよい。追加的に、この色素は、分散剤などによって安定化されてもよく、例えば、米国特許第５、０２６、４２７号；第５、０８６、６９８号；第５、１４１、５５６号；第５、１６０、３７０号；及び第５、１６９、４３６号；などがある。色素の的確な選択は、色再現性及び画像安定性などの特定の応用例及び特性要求性に依存する。適した色素は、例えば、アゾ色素、モノアゾ色素、ジサゾ色素、アゾ色素レーキ、β−ナフトール色素、なるトールＡＳ色素、ベンジミダゾロン色素、ジサゾ縮合色素、金属複合体色素、イソインドリノン及びイソインドリン色素、多環色素、フタロシアニン色素、キナクリドン色素、ペリレン色素及びペリノン色素、チオインディゴ色素、アントラピリミドン色素、フラバンスロン色素、キノフタロン色素、ジケトピロロピロール色素、酸化チタン、酸化鉄及びカーボンブラックなどがある。使用してもよい色素の典型例は、カラーインデックス（Ｃ．Ｉ．）色素黄１、２、３、５、６、１０、１２、１３、１４、１６、１７、６２、６５、７３、７４、７５、８１、８３、８７、９０、９３、９４、９５、９７、９８、９９、１０１、１０４、１０６、１０８、１０９、１１０、１１１、１１３、１１４、１１６、１１７、１２０、１２１、１２３、１２４、１２６、１２７、１２８、１２９、１３０、１３３、１３６、１３８、１３９、１４７、１４８、１５０、１５１、１５２、１５３、１５４、１５５、１６５、１６６、１６７、１６８、１６９、１７０、１７１、１７２、１７３、１７４、１７５、１７６、１７７、１７９、１８０、１８１、１８２、１８３、１８４、１８５、１８７、１８８、１９０、１９１、１９２、１９３、及び１９４；Ｃ．Ｉ．色素オレンジ１、２、５、６、１３、１５、１６、１７、１７：１、１９、２２、２４、３１、３４、３６、３８、４０、４３、４４、４６、４８、４９、５１、５９、６０、６１、６２、６４、６５、６６、６７、６８、及び６９；Ｃ．Ｉ．色素赤１、２、３、４、５、６、７、８、９、１０、１１、１２、１３、１４、１５、１６、１７、１８、２１、２２、２３、３１、３２、３８、４８：１、４８：２、４８：３、４８：４、４９：１、４９：２、４９：３、５０：１、５１、５２：１、５２：２、５３：１、５７：１、６０：１、６３：１、６６、６７、６８、８１、９５、１１２、１１４、１１９、１２２、１３６、１４４、１４６、１４７、１４８、１４９、１５０、１５１、１６４、１６６、１６８、１６９、１７０、１７１、１７２、１７５、１７６、１７７、１７８、１７９、１８１、１８４、１８５、１８７、１８８、１９０、１９２、１９４、２００、２０２、２０４、２０６、２０７、２１０、２１１、２１２、２１３、２１４、２１６、２２０、２２２、２３７、２３８、２３９、２４０、２４２、２４３、２４５、２４７、２４８、２５１、２５���、２５３、２５４、２５５、２５６、２５８、２６１、及び２６４；Ｃ．Ｉ．色素紫１、２、３、５：１、１３、１９、２３、２５、２７、２９、３１、３２、３７、３９、４２、４４、及び５０；Ｃ．Ｉ．色素青１、２、９、１０、１４、１５：１、１５：２、１５：３、１５：４、１５：６、１５、１６、１８，１９、２４：１、２５、５６、６０、６１、６２、６３、６４、及び６６；Ｃ．Ｉ．色素緑１、２、４、７、８、１０、３６、及び４５；Ｃ．Ｉ．色素黒１、７、２０、３１、及び３２；並びにＣ．Ｉ．色素茶１、５、２２、２３、２５、３８，４１及び４２；などがある。実施例の一つにおいて、色素は、Ｃ．Ｉ．色素青１５：３、Ｃ．Ｉ．色素赤１２２、Ｃ．Ｉ．色素黄色１５５、Ｃ．Ｉ．色素黄色７４、ビス（フタロシアニルアルミノ）テトラフェニルジシロキサン、又はＣ．Ｉ．色素黒７である。
【００５０】
色素分散剤をインク組成物に加える際、色素分散剤は、水溶性樹脂、界面活性剤、及びこれらに類似のものである。水溶性樹脂の例には、天然樹脂、半合成樹脂、合成樹脂などが含まれる。合成樹脂の例には、ポリアクリル酸樹脂、ポリマレイン酸樹脂、スチレンアクリル酸共重合体、スチレンマレイン酸共重合体、水溶性スチレン樹脂、ポリビニルピロリドン、ポリビニルアルコール、水溶性ウレタン樹脂などのアルカリ溶解性樹脂がある。界面活性剤の例には、陽イオン界面活性剤、陰イオン界面活性剤、非イオン性界面活性剤、両性界面活性剤などがある。
【００５１】
有機系色素の場合、インクは、重量に対して、約２０％以上の色素を含有しているが、一般に、ほとんどのインクジェット印刷応用例のためのインク組成物の総重量に対して、約０．１から１０％、好ましくは約０．１から５％有している。無機系色素を選択する場合、インクは、インクに使用される有機系色素に比較して、より高い重量百分率の色素を含む傾向にあるだろう。
【００５２】
色素に代わって、染料もまたインク着色剤として使用されてもよい。染料は、非水溶性でも水溶性であってもよい。非水溶性染料は、２００１年１２月１４日出願の米国特許出願第１０／０２０、６９４号に述べられたような、水分散性粒子に、分散され、あるいはカプセル化されていてもよい。種々の範囲の非水溶性染料を使用してもよく、例えば、チバガイギー社製のオラソールレッドＧ、チバガイギー社製のオラソールブルーＧＮ、チバガイギー社製のオラソールピンク及びチバガイギー社製のオラソールイエローなどのオイル染料、ディスパース染料、又はソルベント染料などを使用してもよい。好ましい非水溶性染料は、キサンテン染料、メチン染料、ポリメチン染料、アンスロキノン染料、メトシアニン染料、アゾメチン染料、アジン染料、キノフタロン染料、チアジン染料、オキサジン染料、フタロシアニン染料、モノアゾ染料、ポリアゾ染料、及び金属複合体染料などであってもよい。より好ましくは、非水溶性染料は、２００年１０月１２日出願の米国特許出願第０９／６８９、１８４号明細書に開示されているピラゾールアゾインドール染料の非水溶性アナログなどのアゾ系染料や、米国特許第４、６９８、６５１号明細書に開示のアリルアゾイソチアゾール染料や、米国特許第５、９９７、６２２号及び第６、００１、１６１号明細書に述べられている遷移金属複合体である、８−ヘテロシクリルアゾ−５−ヒドロキシキノリンなどの、非水溶性アナログなどの金属複合体染料などであってもよい。非水溶性染料の溶解性は、水に対して、１ｇ／Ｌ以下であってもよく、より好ましくは、水に対して０．５ｇ／Ｌ以下であってもよい。
【００５３】
水溶性染料の場合、インクはまた、米国特許出願第０９／７４２、９６１号明細書に述べられているような水分散性ポリマーなどを含んでもよい。種々の水溶解性染料を使用してもよく、例えば、反応性染料、レクト染料、非イオン性染料、酸性染料、食品用染料、及び同様のものであって、例えば、米国特許第５、９７３、０２６号明細書に開示されているものあってもよい。水溶性染料は、陽イオン性又は陰イオン性染料であってもよい。陽イオン性染料はアゾ系染料であってもよく、例えば、２０００年８月２２日出願の米国特許出願第０９／６４３、２８１号明細書に述べられた第四級ピラゾールアゾアニリン染料であってもよく；トリアリルメタン染料；フタロシアニン染料；オキサジン染料又はチアジン染料；であってもよい。水溶性染料は、陰イオン性染料であってもよく、遷移金属複合体である、８−ヘテロシクリルアゾ−５−ヒドロキシキノリンなどの金属複合体染料；Ｃ．Ｉ．ダイレクトイエロー１３２などのアゾ染料；Ｃ．Ｉ．ダイレクト青１９９などのフタロシアニン染料；アントラキノン染料、又はアントラピリドン染料であってもよい。Ｅｒｄｔｍａｎｎらが１９９９年８月３１日に出願した米国特許出願第０９／３８７、５８５号明細書には、上記の染料の例が開示されている。
【００５４】
染料は、インクジェット型インクに、種々の効果量にて存在してもよく、その量は一般的に、重量に対して約０．１から１０％、好ましくは約０．５から６％である。
【００５５】
（レシーバー）
インクジェット型印刷に一般に使用される要素を受け入れる多くのインクが使用可能である。レシーバーの型に応じて、この光沢差は、ＲＧＤ％値によって反映され種々変化する。インクレシーバー要素のための支持体は、紙であっても、樹脂コート紙であってもよく、ポリオレフィン型樹脂などのプラスティックや、ポリ（エチレンテトラフタレート）などのポリエステル系樹脂、ポリカーボネート樹脂、ポリスルフォン樹脂、メタクリリック樹脂、セロファン、アセテート系プラスティック、セルロースジアセテート、セルローストリアセテート、塩化ビニル樹脂、ポリ（エチレンナフタレート）、ポリエステルジアセテート、種々のガラス材料であってもよく、また、ポリオレフィンやポリエステルで形成された開口構造を有するものでもよい。この支持体の厚みは、例えば、約１２から約５００μm、好ましくは、約７５から３００μmである。
【００５６】
インクレシービング層は、インク吸収性及びインク保持性を有する親水性のポリマーであってもよいし、内部結合ボイドを有する多孔性層であってもよい。好適実施例において、この親水性ポリマーには、ポリ（ビニルアルコール）、ポリ（ビニルピロリドン）、ゼラチン、セルロースエーテル、ポリ（オキサゾリン）、ポリ（ビニルアセタミド）、部分的に加水分解されたポリ（ビニル酢酸／ビニルアルコール）、ポリ（アクリル酸）、ポリ（アクリルアミド）、ポリ（アルキレンオキシド）、スルフォン化又はリン酸化されたポリエステル及びポリスチレン、カゼイン、ゼイン、アルブミン、キチン、キトサン、デキストラン、ペクチン、コラーゲン誘導体、コロジアン、アガー、くず粉、グアールガム、カラギーナン、トラガカント、キサンタン、ラムサン（ｒｈａｍｓａｎ）及びこれらと同等のものである。好ましくは、この親水性ポリマーは、ポリ（ビニルアルコール）、ヒドロキシプロピルセルロース、カルボキシメチルセルロース、ヒドロキシプロピルメチルセルロース、ポリ（アルキレンオキシド）、ポリ（ビニルピロジノン）、これらの共重合体、又はゼラチンである。その他の好適実施例において、多孔性インクレシービング層は、シリカ、アルミナ、二酸化チタン、クレイ、炭酸カルシウム、硫酸バリウム、又は酸化亜鉛などの無機系粒子を有していてもよい。追加的な好適実施例において、この多孔性インクレシービング層は、約２０から９５％の無機系粒子を含んでおり、かつ、ゼラチン、ポリ（ビニルアルコール）、ポリ（ビニルピロリジノン）、ポリ（ビニル酢酸）又はこれらの共重合体などのポリマー接着剤を約５から８０％有している。多孔性インクレシービング層はまた、米国特許第５、３７４、４７５号及び第４、９５４、３９５号明細書に述べられているような無機フィラー粒子を含有していない、ポリマー微小孔性構造を有していてもよい。この応用例にて使用する際、種々の有機系、無機系色素を単独又は組み合わせて使用してもよい。
【００５７】
以下の例は、本発明を利用したものを示している。
【実施例】
【００５８】
（着色された色素インクの調製）
（シアン色素分散物）
シアン色素の分散物は：（研磨剤にて）５０μmの平均径を持つ８０００ｇの重合体ビーズ；（Ｅａｓｔｍａｎ  Ｋｏｄａｋ社製の）ブリッジドアルミニウムフタロシアニン色素１６００ｇ；オレオイルメチルタウリン（ＯＭＴ）カリウム塩９６０ｇ及び脱イオン水５４４０ｇを有している。
【００５９】
上記の組成物は、Ｍｏｒｅｈｏｕｓｅ−Ｃｏｗｌｅｓ  Ｈｏｃｈｍｅｙｅｒ社製の高エネルギーメディアミルを使ったＢＹＫ−Ｇａｒｄｎｅｒより得られた４０Ｌの二重壁容器にて、研磨された。この研磨は、室温にて約８時間行った。研磨工程の間、ＰＣ−１、ＰＣ−２及びＰＣ−３それぞれ１５．０ｇの色素サンプルなる三つのバッチが得られ、それぞれの色素粒子径の中央値は、３０、１００及び１５０ｎｍであった。なお、この測定は、Ｌｅｅｄｓ＆Ｎｏｒｔｈｒｕｐ社製のＭＩＣＲＯＴＲＡＣ  ＩＩ  Ｕｌｔｒａｆｉｎｅ  Ｐａｒｔｉｃｌｅ  ａｎａｌｙｚｅｒ（ＵＰＡ）により行った。この粒子径の中央値が示すのは、サンプル中の約５０％の容量が、示された寸法よりも小さいことを意味している。この分散物は、ＶＷＲ  Ｓｃｉｅｎｔｉｆｉｃ  Ｐｒｏｄｕｃｔｓ社製の４から８μmのＫＩＭＡＸ（登録商標）Ｂｕｃｈｎｅｒ  Ｆｕｎｎｅｌを介して、ミルグラインドをフィルターすることにより、研磨媒体から分離された。８０００ｇの希釈水をこのフィルター化された分散物に加えた後、（Ｚｅｎｅｃａ  Ｃｏｒｐ社製）殺生剤Ｐｒｏｘｅｌ（登録商標）ＧＸＬを加えた。この色素は、最終分散物の総重量に対して、約１０．０％であり、殺生剤は、約２３０ｐｐｍである。
【００６０】
（黄色素分散物）
この分散物は、色素黄１５５（Ｃｌｏａｒｉａｎｔ  Ｃｏｒｐ社製）を、ブリッジドアルミニウムフタロシアニン色素に代わって使用したことを除いて、シアン色素分散物１と同様に調製された。色素を基礎としたＯＭＴカリウム塩の含量は、２５重量％であった。研磨工程中、ＰＹ−１、ＰＹ−２及びＰＹ−３それぞれ１５．０ｇの色素サンプルなる三つのバッチが得られ、それぞれの色素粒子径の中央値は、４０、１００及び１６０ｎｍであった。なお、この測定は、Ｌｅｅｄｓ＆Ｎｏｒｔｈｒｕｐ社製のＭＩＣＲＯＴＲＡＣ  ＩＩ  Ｕｌｔｒａｆｉｎｅ  Ｐａｒｔｉｃｌｅ  ａｎａｌｙｚｅｒ（ＵＰＡ）により行った。
【００６１】
（シアンインクＣ１）
シアンインクＣ１を調製するため、２．２ｇの色素分散剤ＰＣ−１（重量に対して１０％の色素）、０．０５ｇのＳｕｒｆｙｎｏｌ（登録商標）４６５（Ａｉｒ  Ｐｒｏｄｕｃｔｓ  Ｉｎｃ.社製）、０．６ｇのジエチレングリコール及び０．３ｇのジ（プロピレングリコール）メチルエーテル（Ｄｏｗａｎｏｌ（登録商標）ＤＰＭ）を、適当量の脱イオン水と共に加え、インクの最終重量を１０．０ｇとした。最終的に得られたインクは、２．２％のブリッジドアルミニウムフタロシアニン色素、０．５０％のＳｕｒｆｙｎｏｌ（登録商標）４６５、６．０％のジエチレングリコール及び３％のジ（プロピレングリコール）メチルエーテルを含んデータ。この溶液は、３μmのポリテトラフルオロエチレンフィルターにてフィルターされ、からのＥｐｓｏｎ６６０インクジェットカートリッジに充填された。
【００６２】
（シアンインクＣ２）
シアンインクＣ２は、色素分散剤ＰＣ−２を、色素分散剤ＰＣ−２の代わりに使用し、シアンインクＣ１と同様に調製された。
【００６３】
（シアンインクＣ３）
シアンインクＣ２は、色素分散剤ＰＣ−３を、色素分散剤ＰＣ−１の代わりに使用し、シアンインクＣ１と同様に調製された。
【００６４】
（シアンインクＣ４）
シアンインクＣ４は、ＥｐｓｏｎＣ８０シアンカートリッジから得られる（カタログ番号Ｔ０３２２２０）。このインクは、３μmのポリテトラフルオロエチレンフィルターにてフィルター化され、空のＥｐｓｏｎ６６０インクジェット型カートリッジに充填された。
【００６５】
（マゼンダインクＭ１）
マゼンダインクＭ１は、カタログ番号Ｔ１０６２０１のＥｐｓｏｎ２０００Ｐカラー化とリッジのダークマゼンダチャネルより得られる。このインクは、３μmのポリテトラフルオロエチレンフィルターにてフィルター化され、空のＥｐｓｏｎ６６０インクジェット型カートリッジに充填された。
【００６６】
（マゼンダインクＭ２）
マゼンダインクＭ２は、カタログ番号Ｔ０３２３２０のＥｐｓｏｎＣ８０マゼンダカートリッジより得られる。このインクは、３μmのポリテトラフルオロエチレンフィルターにてフィルター化され、空のＥｐｓｏｎ６６０インクジェット型カートリッジに充填された。
【００６７】
（黄インクＹ１）
黄インクＹ１を調製するために、２．５ｇの色素分散剤ＰＹ−１（色素重量に対して１０％）、０．０５ｇのＳｕｒｆｙｎｏｌ（登録商標）４６５（Ａｉｒ  Ｐｒｏｄｕｃｔｓ  Ｉｎｃ．社製）、０．８ｇのグリセロール、１．０ｇのトリエチレングリコール、０．３ｇのジ（プロピレングリコール）メチルエーテル（Ｄｏｗａｎｏｌ（登録商標）ＤＰＭ）及び、重量比にして、３０．５％のＡＱ５５（登録商標）（Ｅａｓｔｍａｎ  Ｃｈｅｍｉｃａｌ社製）を含有する０．３３ｇのポリマー溶液を、適量の蒸留水と共に加え、インクの最終重量を１０．０ｇとした。最終的に得られたインクは、２．５％の色素黄１５５、０．５０％のＳｕｒｆｙｎｏｌ（登録商標）４６５、８．０％のグリセロール、１０．０％のトリエチレングリコール、３％のジ（プロピレングリコール）メチルエーテル及び１％のＡＱ５５を含有していた。この溶液は、３μmのポリテトラフルオロエチレンフィルターにてフィルター化され、空のＥｐｓｏｎ６６０インクジェット型カートリッジに充填された。
【００６８】
（黄インクＹ２）
黄インクＹ２は、色素分散剤ＰＹ−２を、色素分散剤ＰＹ−１の代わりに使用し、黄インクＹ１と同様に調製された。
【００６９】
（黄インクＹ３）
黄インクＹ３は、色素分散剤ＰＹ−３を、色素分散剤ＰＹ−１の代わりに使用し、黄インクＹ１と同様に調製された。
【００７０】
（光沢適合性流動体）
（ポリマーＰ１の調製）
下記に示した構造を有するポリマーＰ１は、例えば、欧州特許第１１０８７５７Ａ２号明細書に開示したように、常套的なエマルジョン重合法により調製された。
【００７１】
【化１】
2004175107.tif 000004
（光沢適合性流動体１（ＧＭＦ１））
光沢適合性流動体ＧＭＦ１を調製するため、重量に対して３０．５％のＡＱ５５（登録商標）（Ｅａｓｔｍａｎ  Ｃｈｅｍｉｃａｌ社製）を含有するポリマー溶液０．３３ｇ、０．５５ｇのＳｕｒｆｙｎｏｌ（登録商標）４６５（Ａｉｒ  Ｐｒｏｄｕｃｔｓ  Ｉｎｃ．社製）、０．６ｇのジエチレングリコール及び０．３ｇのジ（プロピレングリコール）メチルエーテル（Ｄｏｗａｎｏｌ（登録商標）ＤＰＭ）を、適量の蒸留水とともに加え、流動体の最終重量を１０．０ｇとした。最終的に得られた流動体は、１．０％ＡＱ５５、０．５０％のＳｕｒｆｙｎｏｌ（登録商標）４６５、６．０％のジエチレングリコール及び３％のジ（プロピレングリコール）メチルエーテルを有していた。この溶液は、３μmのポリテトラフルオロエチレンフィルターにてフィルター化され、空のＥｐｓｏｎ６６０インクジェット型カートリッジに充填された。
【００７２】
（光沢適合性流動体２（ＧＭＦ２））
光沢適合性流動体ＧＭＦ２は、ポリマーＰ１を、ＡＱ５５（登録商標）の代わりに使用し、光沢適合性流動体ＧＭＦ１と同様に調製された。
【００７３】
（光沢適合性流動体３（ＧＭＦ３））
光沢適合性流動体ＧＭＦ３は、ＡＱ５５（登録商標）とともに、シリカ分散剤であるＮｉｓｓａｎ  Ｃｈｅｍｉｃａｌ  Ｉｎｄｕｓｔｒｙ社製の無機系粒子Ｓｎｏｗｔｅｘ  ＳＴ−ＺＬ（登録商標）（４１．５％が活性型）を加え、光沢適合性流動体ＧＭＦ１と同様に調製した。最終的な流動体は、重量に対して、２％のＳｎｏｗｔｅｘ  ＳＴ−ＺＬを含有している。
【００７４】
（光沢適合性流動体４（ＧＭＦ４））
光沢適合性流動体ＧＭＦ４は、ＡＱ５５（登録商標）と共に、シリカ分散剤であるＡｋｚｏ−Ｎｏｂｅｌ社製Ｎｙａｃｏｌ  ＩＪ２００（登録商標）（５０％が活性型）を加え、光沢適合性流動体ＧＭＦ１と同様に調製された。最終的な流動体には、２％のＮｙａｃｏｌ  ＩＪ２００（登録商標）を含有している。
【００７５】
（光沢適合性流動体５（ＧＭＦ５））
光沢適合性流動体ＧＭＦ５は、ＡＱ５５（登録商標）と共に、シリカ分散剤であるＮａｌｃｏ  Ｃｈｅｍｉｃａｌ  Ｃｏｍｐａｎｙ社製の無機系粒子Ｎａｌｃｏ２３２９（登録商標）（４０％が活性型）を加え、光沢適合性流動体１と同様に調製された。最終的な流動体には、２％のＮａｌｃｏ２３２９（登録商標）を含有している。
【００７６】
（光沢適合性流動体６（ＧＭＦ６））
光沢適合性流動体ＧＭＦ６は、ＡＱ５５（登録商標）とともに、シリカ分散剤であるＡｋｚｏ−Ｎｏｂｅｌ社製の無機系粒子ＥＦ１０６１１（登録商標）（４０％が活性型）を加え、光沢適合性流動体ＧＭＦ１と同様に調製された。最終的な流動体には、２％のＥＦ１０６１１（登録商標）を含有している。
【００７７】
（印刷及び評価）
テスト画像に使用した要素は、シアン、マゼンダ、黄の３×３センチで、Ｄｍａｘ密度（１００％ドット被覆率）を有する単色カラーパッチからなるものを使用した。上記した光沢適合性流動体及びインクを装填したＥｐｓｏｎ６６０インクジェットプリンターを使用し、上記のテスト画像を、市販のＥｐｓｏｎ  Ｐｒｅｍｉｕｍ  Ｇｌｏｓｓｙ  Ｐａｐｅｒ（カタログ番号ＳＯ４１２８６）上に印刷した。ＢＹＫ−Ｇａｒｄｎｅｒ  ｍｉｃｒｏ−ＴＲＩグロスメーターを使用して、それぞれのパッチにおける光沢レベルを、レシーバーの標準表面から６０°の角度にて測定した。同色にて三つのここのパッチを使用して多重的な測定を行い、その平均値を表１に記載した。相対光沢差（ＲＧＤ）は、表１の如く、その後算出された。
【００７８】
【表１】
2004175107.tif 000005
表１に示すように、要素のそれぞれにおける画像領域と非画像領域との最も低い光沢差は、ここに開示した範囲内にて選択された光沢値（ＧＶＧＭＦ）を有する光沢適合性流動体を使用して得られた。堆積された光沢適合性流動体を有する要素のそれぞれに関するＲＧＤは、光沢適合性流動体を有しないそれぞれの要素と比較して軽減された。
【００７９】
本発明は、特定の好適実施例に関する特定の参照文に関して詳細に述べられてきたが、本発明の特許請求の範囲内にて、種々の改変及び変法が効果的であることを理解すべきである。
【図面の簡単な説明】
【００８０】
【図１】本発明を利用したプリンターを示した機能構成図である。
【図２】光沢適合性流動体液滴及びインク滴を吐出可能な図１に示したプリンターにおけるプリンターの一つの形を示した平面図である。
【図３】ａはレシーバーの模式図であって、このレシーバーの印刷領域と非印刷領域とを示しており、また、ｂはａの一部分に関する拡大図であって、レシーバーの印刷領域における画像領域及び非画像領域を示している。
【図４】本発明を使用可能な、追加的なプリンター及びカートリッジの具体例である。
【図５】本発明を使用可能な、追加的なプリンター及びカートリッジの具体例である。
【図６】本発明を使用可能な、追加的なプリンター及びカートリッジの具体例である。
【図７】本発明を使用可能な、追加的なプリンター及びカートリッジの具体例である。
【図８】本発明を使用可能な、追加的なプリンター及びカートリッジの具体例である。
【符号の説明】
【００８１】
20  プリンターシステム
25  デジタル画像ソース
30  画像プロセッサー
35  プリントヘッド
45  吐出ノズル
50  液滴
55  レシーバー
60  印刷領域
65  非印刷領域
70  画像領域
75  非画像領域
80  プリントヘッド駆動機器
85  インクソース
90  光沢適合性流動体ソース
95  カートリッジ
100  フレキシブルメンブレン
102  チューブ
115  カートリッジ
125  光沢適合性流動体リザーバー
40a  セグメント
40b  セグメント
40c  セグメント
40d  セグメント
40e  セグメント
40f  セグメント
40g  セグメント
【図１】
2004175107.tif 000006
【図２】
2004175107.tif 000007
【図３】
2004175107.tif 000008
【図４】
2004175107.tif 000009
【図５】
2004175107.tif 000010
【図６】
2004175107.tif 000011
【図７】
2004175107.tif 000012
【図８】
2004175107.tif 000013